(57)【特許請求の範囲】
【請求項１】
中空のスリーブと、
前記スリーブ内にスライド可能に収納され且つ末端には位置決めピンが装着された筆芯部と、
前記スリーブの一端に装着され且つ挟持部が設置されたプラグと、
前記スリーブの他端に装着され且つ前記プラグに向かう一端には２つの係止部が互いに離間して対向設置された位置決め部材と、
を備えてなるタッチペンであって、
前記位置決めピンの両端は前記筆芯部から露出するので、前記筆芯部が前記スリーブに対してスライドする際、前記位置決めピンは前記プラグの挟持部又は前記位置決め部材の２つの係止部に解除可能に挟持されて、前記筆芯部を前記スリーブの異なる位置に位置決めし、前記筆芯部を前記スリーブに対して伸縮させることを特徴とするタッチペン。
【請求項２】
前記筆芯部を前記スリーブ内に収めた後、前記位置決めピンの中部は前記挟持部に挟持され、
前記筆芯部を前記スリーブから引き出した後、前記位置決めピンの両端はそれぞれ前記２つの係止部に挟持されることを特徴とする請求項１に記載のタッチペン。
【請求項３】
前記挟持部は対向して延伸する２つの挟持アームを含み、前記２つの挟持アームの間にはガイド部及びロック穴が順次に形成され、前記位置決めピンは前記ガイド部を経由して前記ロック穴内に滑り込んで挟持されることを特徴とする請求項２に記載のタッチペン。
【請求項４】
前記２つの挟持アームの間には、スリットがさらに形成され、前記スリット及び前記ガイド部は前記ロック穴の両側に位置し、前記ロック穴の直径は、前記ガイド部の前記ロック穴に近い部分の幅及び前記スリットの前記ロック穴に近い部分の幅より大きくなっていることを特徴とする請求項３に記載のタッチペン。
【請求項５】
前記筆芯部の一端にはキャップが被せられ、前記キャップを引張ることにより、前記筆芯部が連動して前記スリーブに対して伸縮することを特徴とする請求項１に記載のタッチペン。
【請求項６】
前記キャップの内壁には対向する２つの突起部が設けられ、前記筆芯部の一端には係止凹溝が設けられ、前記突起部は前記係止凹溝に解除可能に係合され、
前記突起部と前記係止凹溝との係止力は、前記位置決めピンと前記挟持部との係止力より大きいことを特徴とする請求項５に記載のタッチペン。
【発明の詳細な説明】
【技術分野】
【０００１】
本発明は、タッチペンに関し、特に携帯式電子装置に用いられるタッチペンに関するものである。
【背景技術】
【０００２】
携帯電話、個人用携帯情報端末（ＰＤＡ）及びパソコン等のようなタッチパネルを有する電子装置は、一般的にタッチペンを入力手段とする。
【０００３】
従来のタッチペンは、通常電子装置の内部に内蔵されており、使用する場合は電子装置の蓋体から抜き出す。しかし、電子装置の蓋体の長さが短く且つ内部空間も小さい場合、それに収納されるタッチペンも短く設計しなければならない。従って、タッチペンの長さは制限されて、ユーザーにとって使用不便である。
【発明の概要】
【発明が解決しようとする課題】
【０００４】
以上の問題を解決するために、伸縮できるタッチペンが設計されたが、その構造が複雑であるから、操作し難しい。
【０００５】
本発明は、上記の課題に鑑みてなされたものであり、構造が簡単であり、製造し易く、伸縮できるタッチペンを提供することを目的とする。
【課題を解決するための手段】
【０００６】
前記課題を解決するために、本発明に係るタッチペンは、中空のスリーブと、前記スリーブ内にスライド可能に収納され且つ末端には位置決めピンが装着された筆芯部と、前記スリーブの一端に装着され且つ挟持部が設置されたプラグと、前記スリーブの他端に装着され且つ前記プラグに向かう一端には２つの係止部が互いに離間して対向設置された位置決め部材と、を備えてなる。前記位置決めピンの両端は前記筆芯部から露出するので、前記筆芯部が前記スリーブに対してスライドする際、前記位置決めピンは前記プラグの挟持部又は前記位置決め部材の２つの係止部に解除可能に挟持されて、前記筆芯部を前記スリーブの異なる位置に位置決めし、前記筆芯部を前記スリーブに対して伸縮させる。
【発明の効果】
【０００７】
従来の技術に比べて、本発明のタッチペンは、その筆芯部に装着された位置決めピンをスリーブの両端に位置する位置決め部材及びプラグに挟持することにより、前記筆芯部を前記スリーブから引き出すか又は前記スリーブ内に収納している。これによって、前記タッチペンは構造が簡単であり且つ操作し易いという利点を有する。
【図面の簡単な説明】
【０００８】
【図１】本発明に係るタッチペンの立体分解図である。
【図２】図１に示したタッチペンのプラグの拡大図である。
【図３】図１に示したタッチペンの組立図である。
【図４】図３に示したタッチペンの局部断面を示す図である。
【図５】図４に示したタッチペンが長く伸長された状態での立体図である。
【図６】図５に示したタッチペンのキャップを取り外した状態を示す図である。
【図７】図３に示したタッチペンのＶＩＩ−ＶＩＩ線に沿う断面図である。
【発明を実施するための形態】
【０００９】
本発明のタッチペンは、携帯電話、個人用携帯情報端末（ＰＤＡ）及びパソコン等の電子装置に用いられる。以下、図面を参照しながら本発明の実施形態に係るタッチペンについて詳細に説明する。
【００１０】
図１に示したように、本発明のタッチペン１００は、中空のスリーブ１０と、前記スリーブ１０の内部にスライド可能に収納される筆芯部２０と、固定ピン７０によって前記スリーブ１０の一端に固定されるとともに前記スリーブ１０の内部に収納されるプラグ３０と、前記スリーブ１０の他端に固定されるとともに前記スリーブ１０の内部に収納される位置決め部材４０と、前記筆芯部２０を被せるキャップ５０と、を備える。
【００１１】
前記スリーブ１０は、断面が略矩形を呈する中空管であり、４つの筒壁１３から囲んで形成される。前記スリーブ１０の軸方向に沿って前記筆芯部２０を収納するための中空部１１が設けられる。対向して設置される２つの筒壁１３の一端には、それぞれ１つの固定穴１３１が同軸に設けられる。前記固定ピン７０の両端はそれぞれ前記２つの固定穴１３１を貫き、且つ前記固定ピン７０の両端は前記２つの固定穴１３１に別々に緊密に係止される。前記固定穴１３１が設けられた前記２つの筒壁１３の他端の内側には、それぞれ１つの突片１３３が設けられる。前記２つの突片１３３は、対向して設置され且つ前記位置決め部材４０に係合して、前記位置決め部材４０を前記スリーブ１０に固定する。
【００１２】
前記筆芯部２０は、ペン軸２１及び前記ペン軸２１の一端に連結される筆先部２３を含む。前記ペン軸２１と前記筆先部２３との接続部位には、リング状の係止凹溝２５が設けられる。前記ペン軸２１は細長い柱状体であり、対向する２つの側壁２１１を含む。前記２つの側壁２１１の前記筆先部２３から離れている一端には、同じ軸線上に位置する２つの取付穴２１３が設けられる。位置決めピン６０の両端は、それぞれ前記２つの取付穴２１３を貫き且つ前記２つの取付穴２１３から露出する。前記筆先部２３は、略円錐状を呈し、前記携帯式電子装置のタッチパネルをタッチするために用いられる。
【００１３】
前記プラグ３０は、順次に連結する蓋体３１、固定部３３及び挟持部３５を含む。前記蓋体３１は略矩形の板状体であり、その形状やサイズは前記中空部１１の開口の形状やサイズに対応する。前記固定部３３は前記蓋体３１の縦方向に沿って設けられ、且つその中央部には前記固定ピン７０を装着するための貫通孔３３１が設けられる。
【００１４】
図２に示すように、前記挟持部３５は、対向して延伸する２つの挟持アーム３５１を含む。各々の挟持アーム３５１の他方の挟持アーム３５１に対面する表面には、楔形のガイド壁３５１１及び弧状のノッチ３５１３が設けられる。前記２つの挟持アーム３５１は互いに離間して設置されるので、前記２つの挟持アーム３５１の間にはガイド部３５３、係止穴３５５及びスリット３５７が順次に形成される。前記ガイド部３５３は前記２つのガイド壁３５１１から構成され、且つ前記ガイド部３５３の高さは前記挟持部３５の開口端から前記係止穴３５５に向って徐々に小さくなる。前記ロック穴３５５の高さは、前記位置決めピン６０の横断面の直径にほぼ一致するが、前記ガイド部３５３の前記ロック穴３５５に近い部分の高さ及び前記スリット３５７の前記ロック穴３５５に近い部分の高さより大きい。このため、前記位置決めピン６０が前記ロック穴３５５に係止された後、前記ロック穴３５５内に安定して停留される。前記スリット３５７が存在するため、前記位置決めピン６０は前記ガイド部３５３から前記ロック穴３５５内に滑り込む際に、前記２つの挟持アーム３５１は拡張し易い。
【００１５】
再び図１を参照すると、前記位置決め部材４０は、中空の筒状体であり、その外表面の形状は前記スリーブ１０の内表面の形状にほぼ一致し、その外径は前記スリーブ１０の内径にほぼ等しい。前記位置決め部材４０の前記プラグ３０に向かう一端の両側には、２つの係止部４１が互いに離間して対向して設けられる。前記係止部４１の構造、形状及び機能は、前記プラグ３０の挟持部３５とほぼ同じであり、且つ前記２つの係止部４１の２つのロック穴（図示せず）の軸線は、前記挟持部３５のロック穴３５５の軸線に平行する。前記筆芯部２０を前記スリーブ１０内に完全に収納された後、前記位置決めピン６０の中部は前記挟持部３５に挟持される。前記位置決めピン６０の両端はそれぞれ前記２つの係止部４１に挟持される。
【００１６】
前記位置決め部材４０の対向する２つの筒壁には、それぞれ１つのＵ字状のスリット４３が設けられるので、前記２つの筒壁の中央部にはそれぞれ動くことができる１つの係合片４５が形成される。各々の係合片４５の外表面には、前記スリーブ１０の突片１３３に対応する係止凹所４２が凹んで設けられる。
【００１７】
図６に示すように、前記キャップ５０は、周壁５１１から囲んで形成され、前記筆先部２０を被せる。前記キャップ５０は前記スリーブ１０と同じ形状を有し、且つその一端には前記筆先部２０を収容するための中空部５１が設けられる。前記周壁５１１の対向する両側には、前記筆芯部２０の係止凹溝２５に係合する突起部５１３がそれぞれに設けられる。
【００１８】
以下、図１乃至図３を参照しながら、本発明のタッチペン１００の組立ステップについて詳細に説明する。
【００１９】
前記タッチペンを組み立てる場合、まず、前記プラグ３０を前記スリーブ１０内に収納すると共に、前記固定穴１３１と前記貫通孔３３１との位置を合せる。それから、前記固定ピン７０を順次に１つの固定穴１３１、前記貫通孔３３１及び他の１つの固定穴１３１に貫通させて、前記固定ピン７０の両端をそれぞれ前記２つの固定穴１３１に係止する。
【００２０】
次に、前記位置決めピン６０を前記筆芯部２０の２つの取付穴２１３内に装着して、前記位置決めピン６０の両端を前記２つの取付穴２１３に緊密に係止させるとともに、前記位置決めピン６０の両端を前記２つの取付穴２１３から露出させる。続いて、前記ペン軸２１を、前記スリーブ１０内に収納してから、前記プラグ３０に向かって前記筆芯部２０を推進して、前記位置決めピン６０を前記プラグ３０のガイド部３５３を経由して前記ロック穴３５５内に滑り込ませて挟持させる。
【００２１】
次に、前記位置決め部材４０を前記筆先部２３から前記筆芯部２０上に被せてから、前記プラグ３０に向って前記位置決め部材４０を前記スリーブ１０内に押し込むと、前記位置決め部材４０の２つの係合片４５は、前記スリーブ１０の２つの突片１３３にそれぞれ押圧されて互いに向き合うように湾曲する。前記突片１３３と前記係止凹所４２との位置が合致すると、前記係合片４５は弾性回復して、前記突片１３３は前記係止凹所４２に堅く係合する。これで、前記位置決め部材４０は前記スリーブ１０に固定される。
【００２２】
最後に、前記キャップ５０を前記筆先部２３に被せて、前記キャップ５０の突起部５１３を前記筆芯部２０の係止凹溝２５に係止させる。これで、前記タッチペン１００の組立が完了する。
【００２３】
図４乃至図７に示すように、前記タッチペン１００を使用する場合、前記キャップ５０の突起部５１３と前記筆芯部２０の係止凹溝２５との係止力は、前記２つの挟持アーム３５１が前記位置決めピン６０に対する挟持力より大きいので、前記キャップ５０を引張ると、前記位置決めピン６０は前記２つの挟持アーム３５１の間から離脱され、前記筆芯部２０は前記キャップ５０に連動されて前記スリーブ１０から引き出される。引き続き前記キャップ５０を引張って、前記位置決めピン６０の両端をそれぞれ前記２つの係止部４１のロック穴に挟持させると、前記タッチペン１００は完全に伸長される（図５を参照）。最後に、前記キャップ５０と前記係止凹溝２５との係止力を克服して、前記キャップ５０を前記筆芯部２０から取外したら、ユーザーは前記タッチペン１００を使用できる（図６を参照）。
【００２４】
本発明によれば、前記キャップ５０を引っ張って前記筆芯部２０を連動して前記スリーブ１０に対して伸縮するとともに、前記筆芯部２０に装着された前記位置決めピン６０を別々に前記プラグ３０及び前記位置決め部材４０に挟持させることにより、前記筆芯部２０の前記スリーブ１０に対する伸長又は収縮を実現する。従って、本発明のタッチペン１００は、構造が簡単であり、製造し易いという利点を有する。
【００２５】
以上、本発明の好適な実施形態について詳細に説明したが、本発明は前記実施形態に限定されるものではなく、本発明の範囲内で種々の変形又は修正が可能であり、該変形又は修正も又、本発明の特許請求の範囲内に含まれるものであることは、いうまでもない。
【符号の説明】
【００２６】
１０        スリーブ
１１        中空部
１３        筒壁
２０        筆芯部
２１        ペン軸
２３        筆先部
２５        係止凹溝
３０        プラグ
３１        蓋体
３３        固定部
３５        挟持部
４０        位置決め部材
４１        係止部
４２        係止凹所
４３        「Ｕ」型スリット
４５        係合片
５０        キャップ
６０        位置決めピン
７０        固定ピン
１００      タッチペン
１３１      固定穴
１３３      突片
２１１      側壁
２１３      取付穴
３３１      貫通孔
３５１      挟持アーム
３５３      ガイド部
３５５      係止穴
３５７      スリット
５１１      周壁
５１３      突起部
３５１１    ガイド壁
３５１３    ノッチ
【図１】
0005577265.tif 000002
【図２】
0005577265.tif 000003
【図３】
0005577265.tif 000004
【図４】
0005577265.tif 000005
【図５】
0005577265.tif 000006
【図６】
0005577265.tif 000007
【図７】
0005577265.tif 000008